(57)【要約】【課題】床暖房システム施工後において、床を剥がすことなく床暖房用放熱パネルの製造情報や異常の有無を把握することが可能な床暖房用放熱パネルを開示する。【解決手段】放熱パネルの製造情報又は管理コードが記録されたＩＣタグと、放熱パネルの温度を感知する温度センサと、を備えることを特徴とする、床暖房用放熱パネルとする。【選択図】図１
2018017493.tif 000002
【特許請求の範囲】
【請求項１】
放熱パネルの製造情報又は管理コードが記録されたＩＣタグと、
放熱パネルの温度を感知する温度センサと、
を備えることを特徴とする、床暖房用放熱パネル。
【請求項２】
室内の床に設置された床暖房用放熱パネルと、
前記床暖房用放熱パネルの内部の通水管へと冷水又は温水を供給する熱源機と、
前記通水管への前記冷水又は温水の供給を制御する弁と、
前記弁及び前記熱源機の動作を制御するコントローラと、
を備え、
前記床暖房用放熱パネルが、放熱パネルの製造情報が記録されたＩＣタグと、放熱パネルの温度を感知する温度センサと、を備えることを特徴とする、
床暖房システム。
【請求項３】
前記ＩＣタグに記録された製造情報又は管理コードを読み取るリーダーをさらに備え、
前記リーダーがインターネットに接続されており、
前記リーダーによって読み取られた情報を前記インターネットを介して確認可能とされる、
請求項２に記載の床暖房システム。
【請求項４】
前記リーダーが前記室内の温度及び／又は湿度を感知する室内センサとしての機能を備え、
前記リーダーが感知した室内の温度の情報及び／又は湿度の情報を前記インターネットを介して確認可能とされる、
請求項３に記載の床暖房システム。
【請求項５】
前記コントローラが前記リーダーとしての機能を備える、
請求項３又は４に記載の床暖房システム。
【請求項６】
前記室内の温度及び／又は湿度を感知する室内センサをさらに備え、
前記室内センサがインターネットに接続されており、
前記室内センサが感知した室内の温度の情報及び／又は湿度の情報を前記インターネットを介して確認可能とされる、
請求項２〜５のいずれかに記載の床暖房システム。
【請求項７】
前記コントローラがインターネットに接続されており、
前記インターネットを介して前記コントローラを操作可能とされる、
請求項２〜６のいずれかに記載の床暖房システム。
【請求項８】
前記弁がインターネットに接続されており、
前記インターネットを介して前記弁の動作状況を確認可能とされる、
請求項２〜７のいずれかに記載の床暖房システム。
【請求項９】
前記熱源機がインターネットに接続されており、
前記インターネットを介して前記熱源機の動作状況を確認可能とされる、
請求項２〜８のいずれかに記載の床暖房システム。
【発明の詳細な説明】
【技術分野】
【０００１】
本願は床暖房用放熱パネル及びそれを用いた床暖房システムを開示する。
【背景技術】
【０００２】
室内の暖房手段として床暖房システムが知られている。床暖房システムの施工においては、フローリング等の床仕上材の下地として、あらかじめ通水管を埋設した薄板状の放熱パネルが使用される。放熱パネルとしては、例えば、所定形状の断熱材と、当該断熱材の配管溝に配置された通水管と、断熱材の表面に貼着された放熱シートとを備え、熱源機から供給された温水を弁を介して通水管に循環させ、通水管から放出される温熱を放熱シートを介して床仕上材全体に供給するものが挙げられる。放熱パネルは、床の形状等に応じてパネルの大きさや通水管の形態等が設計される。例えば、通水管内の圧力損失を抑えるとともに放熱面からの放熱を均等なものとするために、パネルの大きさに応じてヘッダーの形状や通水管の数及び配列ピッチ等が決定される（特許文献１）。
【先行技術文献】
【特許文献】
【０００３】
【特許文献１】特許第４８０３１２０号公報
【発明の概要】
【発明が解決しようとする課題】
【０００４】
床暖房用放熱パネルは例えばロット毎に品質管理されている。床暖房システムの施工後、あるロットの床暖房用放熱パネルに異常（故障等）が生じた場合、将来的には当該ロットの他の放熱パネルについても同様の異常が生じる可能性がある。或いは、床暖房システムの稼動時に、あるロットの床暖房用放熱パネルに異常が生じたものと予想されて現地調整が必要と考えられる場合に、当該ロットの他の放熱パネルの過去の異常履歴を確認することで、調整対象である放熱パネルの異常の原因を容易に特定できることが考えられる。このように、床暖房システムの施工後において、当該システムに設置された放熱パネルのロット（製造情報）を把握することが重要と考えられる。
【０００５】
ここで、従来の床暖房用放熱パネルにあっては、製品にロットシールを貼りつけることでロット管理を行っていた。しかしながら、このような放熱パネルについて床暖房システム施工後に現地調整を行う場合は、放熱パネルのロット等のトレーサビリティを行うために、床を剥がしてロットシールを確認する必要があった。
【０００６】
また、例えば、現場に複数の放熱パネルが設置されている場合、当該複数の放熱パネルのうちのいずれのパネルに異常が生じているのか容易に特定できない場合があり、その場合は、やはり床を剥がしてパネルの状態を確認する必要があった。
【０００７】
さらに、放熱パネルに異常が発生したとユーザーが考えて、ユーザーがメーカー担当者等にその旨を連絡した場合に、メーカー担当者等は遠隔から放熱パネルの状況を把握することができないことから、現地調整が避けられなかった。
【０００８】
上記背景技術に鑑み、本願では、床暖房システム施工後において、床を剥がすことなく床暖房用放熱パネルの製造情報や異常の有無を把握することが可能な床暖房用放熱パネル、及び、それを用いた床暖房システムを開示する。
【課題を解決するための手段】
【０００９】
本願は、上記課題を解決するための手段の一つとして、
放熱パネルの製造情報又は管理コードが記録されたＩＣタグと、放熱パネルの温度を感知する温度センサと、を備えることを特徴とする、床暖房用放熱パネル
を開示する。
【００１０】
「ＩＣタグ」とは放熱パネルの製造情報又は当該情報を引き出すための管理コードが記録されたものであり、リーダー（ＩＣタグリーダー）をかざすことにより、非接触で当該製造情報又は管理コードを読み取ることが可能とされたものである。ＩＣタグに製造情報を直接記録しリーダーにより読み取ることもできるし、当該製造情報を引き出すための管理コードをＩＣタグに記録し、当該管理コードを読み取ることによって間接的に製造情報を得ることもできる。ＩＣタグは例えば電源を内蔵していないパッシブタイプの場合は以下のように動作する。すなわち、リーダー（ＩＣタグリーダー）から発せられた電波によってＩＣタグに電力が誘起される。当該電力によってＩＣタグは、内蔵された情報をリーダーへと送信する。これにより、リーダーはＩＣタグに内蔵された情報を非接触で読み取ることができる。
「管理コード」とは、放熱パネルの製造情報を引き出すためのコードである。
「製造情報」とは、例えば、放熱パネルの製造年月日や製造番号、検査記録、責任者名等の情報をいう。
「温度センサ」とは放熱パネルの温度を感知するものである。放熱パネルの表面に温度センサを備えた場合はパネル表面の温度を感知でき、放熱パネルの内部に温度センサを備えた場合はパネル内部の温度を感知することができる。
「ＩＣタグ」と「温度センサ」とは一体とされていてもよい。すなわち、本開示の床暖房用放熱パネルは、温度センサ付ＩＣタグを備える形態であってもよい。
「床暖房用放熱パネル」は、上記した「ＩＣタグ」や「温度センサ」が備えられている点を除いて、従来の放熱パネルと同様の構成を有していてよい。例えば、所定形状の断熱材と、当該断熱材の配管溝に配置された通水管と、断熱材の表面に貼着された放熱シートとを備え、熱源機から弁を介して通水管に温水を供給・循環させた場合に、通水管から放出される温熱を放熱シートを介して拡散させるように構成されたものが挙げられる。
尚、本開示の「床暖房用放熱パネル」は、例えば、内部の通水管に冷水を供給・循環させることで「床冷房用放熱パネル」としても利用できることが自明である。この点、本開示の「床暖房用放熱パネル」は、「床暖房にのみ使用される放熱パネル」のほか、「床冷房にのみ使用される放熱パネル」や「床暖房及び床冷房の双方に使用される放熱パネル」が含まれるものとする。
【００１１】
本願は、上記課題を解決するための手段の一つとして、
室内の床に設置された床暖房用放熱パネルと、前記床暖房用放熱パネルの内部の通水管へと温水を供給する熱源機と、前記通水管への前記温水の供給を制御する弁と、前記弁及び前記熱源機の動作を制御するコントローラと、を備え、前記床暖房用放熱パネルが、放熱パネルの製造情報又は管理コードが記録されたＩＣタグと、放熱パネルの温度を感知する温度センサと、を備えることを特徴とする、床暖房システム
を開示する。
【００１２】
「前記弁及び前記熱源機の動作を制御するコントローラ」は、弁の動作を制御するコントローラと熱源機の動作を制御するコントローラとが一体であっても別体であってもよい。
「床暖房システム」は、床暖房用放熱パネルにＩＣタグと温度センサとが備えられている点を除き、従来の床暖房システムと同様の構成を有していてよい。すなわち、「熱源機」、「弁」及び「コントローラ」については従来と同様の構成を有していてよい。ただし、上記課題をより容易に解決する観点から、さらに以下の構成を備えることが好ましい。
尚、本開示の「床暖房システム」は、熱源機から通水管へと温水に替えて冷水を供給することで「床冷房システム」としても利用できることが自明である。この点、本開示の「床暖房システム」は、「床暖房としての機能のみを有するシステム」のほか、「床冷房としての機能のみを有するシステム」や「床暖房及び床冷房の双方の機能を有するシステム」が含まれるものとする。
【００１３】
すなわち、本開示の床暖房システムは、前記ＩＣタグに記録された製造情報又は管理コードを読み取るリーダーをさらに備え、前記リーダーがインターネットに接続されており、前記リーダーによって読み取られた情報を前記インターネットを介して確認可能とされることが好ましい。
【００１４】
本開示の床暖房システムは、前記リーダーが前記室内の温度及び／又は湿度を感知する室内センサとしての機能を備え、前記リーダーが感知した室内の温度の情報及び／又は湿度の情報を前記インターネットを介して確認可能とされることが好ましい。
【００１５】
本開示の床暖房システムは、前記コントローラが前記リーダーとしての機能を備えることが好ましい。
【００１６】
本開示の床暖房システムは、前記室内の温度及び／又は湿度を感知する室内センサをさらに備え、前記室内センサがインターネットに接続されており、前記室内センサが感知した室内の温度の情報及び／又は湿度の情報を前記インターネットを介して確認可能とされることが好ましい。
【００１７】
本開示の床暖房システムは、前記コントローラがインターネットに接続されており、前記インターネットを介して前記コントローラを操作可能とされることが好ましい。
【００１８】
本開示の床暖房システムにおいて、前記弁がインターネットに接続されており、前記インターネットを介して前記弁の動作状況を確認可能とされることが好ましい。
【００１９】
本開示の床暖房システムにおいて、前記熱源機がインターネットに接続されており、前記インターネットを介して前記熱源機の動作状況を確認可能とされることが好ましい。
【発明の効果】
【００２０】
本開示の床暖房用放熱パネルによれば、所定のＩＣタグが備えられることで、ＩＣタグリーダーを用意することにより、非接触で放熱パネルの製造情報を確認することができる。すなわち、床暖房システムの施工後であっても床を剥がすことなく放熱パネルの製造情報を確認することができる。また、本開示の床暖房用放熱パネルによれば、所定の温度センサが備えられることで、放熱パネルの異常時に、床を剥がすことなく放熱パネルの温度を正確に把握することができる。すなわち、例えば、床下に複数の放熱パネルが設置されていた場合において当該複数の放熱パネルのうちの一つに異常（故障）が生じたものと予想された場合に、床を剥がすことなく、温度センサにより感知された温度をパネル毎に一つ一つ確認し、感知温度が異常値を示した放熱パネルに異常（故障）が生じているものと容易に特定できる。さらに、放熱パネルに異常が発生したとユーザーが考えて、メーカー担当者に連絡しようとした場合、メーカー担当者は、インターネットに接続したＩＣタグリーダーを使用して事前に放熱パネルの製造情報並びに運転状況を確認し、異常の有無を判断することができる。メーカー担当者は遠隔から放熱パネルの製造情報並びに運転状況を把握でき、当該放熱パネルの故障し易い箇所等を事前に把握することができる。場合によっては、メーカー担当者は、現地調整を行うことなく、ユーザーに適切な指示を出すことが可能である。
【００２１】
尚、上記したように、好ましい態様に係る床暖房システムにおいて、リーダー（ＩＣタグリーダー）、コントローラ、各種センサ等をインターネットに接続する（すなわち、ＩｏＴ（Internet of Things）化する）ことで、床暖房システムに生じた異常等を、遠隔からより詳細に把握することができるとともに、床暖房システムを遠隔から適切に管理することができる。ＩｏＴ床暖房システムとすることで奏される様々な効果について、詳しくは後述する。
【図面の簡単な説明】
【００２２】
【図１】床暖房用放熱パネル１０について説明するための概略図である。
【図２】床暖房システム１００について説明するための概略図である。
【発明を実施するための形態】
【００２３】
１．床暖房用放熱パネル
図１に床暖房用放熱パネル１０を概略的に示す。放熱パネル１０は、当該放熱パネル１０の製造情報又は管理コード（以下、「管理コード等」という場合がある。）が記録されたＩＣタグ１１と、当該放熱パネル１０の温度を感知する温度センサ１２と、を備えている。図１においては、ＩＣタグ１１と温度センサ１２は別々に備えられているが、ＩＣタグ１１と温度センサ１２は一体とされていてもよい。
【００２４】
１．１．ＩＣタグ
ＩＣタグ１１は放熱パネル１０の管理コード等が記録されたものであり、リーダー（ＩＣタグリーダー）をかざすことにより、非接触で当該管理コード等を読み取ることが可能とされたものである。ＩＣタグ１１は例えば電源を内蔵しないパッシブタイプでは以下のように動作するものである。すなわち、リーダーから発せられた電波によってＩＣタグ１１に電力が誘起される。当該電力によってＩＣタグ１１は、内蔵された管理コード等をリーダーへと送信する。これにより、リーダーはＩＣタグ１１に内蔵された管理コード等を非接触で読み取ることができる。ＩＣタグ１１はこのようなパッシブタイプでもよいし、或いは、電源を内蔵し必要に応じて電波を発するアクティブタイプでもよいが、省スペース化が可能であり消費電力も小さいことからパッシブタイプが好ましい。
【００２５】
ＩＣタグそのものの仕組みやＩＣタグリーダーそのものの仕組みについては当業者にとって自明な事項であり、種々の分野において利用されている。近年ではスマートフォンやタブレット向けにＩＣタグに記録された情報を読み取るリーダーとしての機能を発揮させるソフトやアプリ等も開発されている。本願では詳細な説明を省略する。
【００２６】
ＩＣタグ１１には、一般的には製造情報を引き出すための管理コードが記録され、リーダーによって読み取られた管理コードにより、インターネットを介してメーカーの製造管理サーバーから必要な製造情報を引き出すことが好ましい。引き出される製造情報としては、例えば、放熱パネル１０の製造年月日、製造番号、検査記録、責任者名等が挙げられる。
【００２７】
ＩＣタグ１１は放熱パネル１０の少なくとも１箇所に設置されていればよい。ただし、リーダーによる読み取り精度を一層向上させる観点から、放熱パネル１０の表裏面のうち表面側（床暖房システムとした場合に室内空間側となる上面側）に設置することが好ましい。放熱パネル１０の表面側におけるＩＣタグ１１の設置箇所については特に限定されるものではない。例えば、放熱パネル１０のヘッダー近傍に設置することができる。
【００２８】
１．２．温度センサ
温度センサ１２は、放熱パネルの温度を感知するものである。温度センサ１２としては公知の温度センサをいずれも採用可能である。温度センサ１２によって感知すべき温度の範囲については、放熱パネル１０に供給される温水の温度範囲に応じて決定すればよい。温度センサ１２として適用可能な温度センサそのものの仕組みについては公知であり、ここでは説明を省略する。
【００２９】
温度センサ１２は放熱パネル１０の少なくとも１箇所に設置されていればよく、好ましくは、ＩＣタグ１１の近傍に設置される。例えば、ＩＣタグ１１が、放熱パネル１０の表面側（床暖房システムとした場合に室内空間側となる上面側）に設置される場合は、温度センサ１２も放熱パネル１０の表面側に設置されることが好ましい。そして、ＩＣタグ１１と同様に、例えば、放熱パネル１０のヘッダー近傍に設置することができる。また、ＩＣタグ１１と温度センサ１２とが一体化されていてもよい。すなわち、温度センサ付ＩＣタグをＩＣタグ１１及び温度センサ１２として使用することも可能である。
【００３０】
１．３．その他の構成
放熱パネル１０は、上記したＩＣタグ１１や温度センサ１２が備えられている点を除いて、従来の放熱パネルと同様の構成を有していてよい。例えば、所定形状（特に図１に示すように長方形状）の断熱材と、当該断熱材の配管溝に配置された通水管と、断熱材の表面に貼着された放熱シートとを備え、熱源機２０（図２参照）から弁３０（図２参照）を介して通水管に温水を供給・循環させた場合に、通水管から放出される温熱を放熱シートを介して拡散させるように構成されたものが挙げられる。このような床暖房用放熱パネルそのものの仕組みについては当業者にとって技術常識であり、種々の形態のものが開示及び市販されている。例えば、特許文献１（特許第４８０３１２０号公報）に記載されたような放熱パネルに上記したＩＣタグ１１及び温度センサ１２を設置することで、放熱パネル１０を構成することができる。
【００３１】
尚、上記の説明では、放熱パネル１０の内部の通水管に温水を供給・循環させる形態について説明したが、放熱パネル１０の内部の通水管には温水に替えて冷水を供給・循環させてもよい。これにより、床冷房用放熱パネルとすることができる。
【００３２】
以上の通り、放熱パネル１０によれば、ＩＣタグ１１が備えられることで、ＩＣタグリーダーを用意することにより、管理コード等を読み取り、非接触で放熱パネル１０の製造情報を確認することができる。すなわち、床を剥がすことなく放熱パネル１０の製造情報を確認することができる。また、放熱パネル１０によれば、温度センサ１２が備えられることで、放熱パネル１０の異常時に、床を剥がすことなく放熱パネル１０の温度を正確に把握することができる。すなわち、例えば、床下に複数の放熱パネル１０、１０、…が設置されていた場合において当該複数の放熱パネル１０、１０、…のうちの一つに異常（故障）が生じたものと予想された場合に、床を剥がすことなく、温度センサ１２により感知された温度をパネル毎に一つ一つ確認することで、感知温度が異常値を示した放熱パネル１０に異常（故障）が生じているものと容易に特定できる。さらに、放熱パネル１０に異常が発生したとユーザーが考えて、メーカー担当者に連絡しようとした場合、メーカー担当者は、インターネット環境に接続したＩＣタグリーダーを使用して事前に放熱パネル１０の製造情報を確認することができる。メーカー担当者は遠隔から放熱パネル１０の製造情報を把握でき、当該放熱パネル１０の故障し易い箇所等を事前に把握することができる。場合によっては、メーカー担当者は、現地調整を行うことなく、ユーザーに適切な指示を出すことが可能である。
【００３３】
２．床暖房システム
図２に床暖房システム１００を概略的に示す。床暖房システム１００は室内の床に設置された床暖房用放熱パネル１０と、床暖房用放熱パネル１０の内部の通水管へと温水を供給する熱源機２０と、通水管への温水の供給を制御する弁３０と、弁３０及び熱源機２０の動作を制御するコントローラ４０と、を備えている。床暖房システム１００においては、床暖房用放熱パネル１０が、放熱パネルの管理コード等が記録されたＩＣタグ１１と、放熱パネルの温度を感知する温度センサ１２と、を備えることを特徴とする。
【００３４】
２．１．床暖房用放熱パネル
床暖房用放熱パネル１０は、上述した放熱パネル１０と同様である。床暖房システム１００においては、放熱パネル１０が複数備えられていてもよい。放熱パネル１０が複数備えられる場合は、言うまでもないが、一の放熱パネル１０に備えられたＩＣタグ１１と、他の放熱パネル１０に備えられたＩＣタグ１１とが近接しても読み取り時に相互干渉しないアルゴリズムよってコントロールされている。尚、上述したように、放熱パネル１０は、ＩＣタグ１１及び温度センサ１２を備えること以外は従来と同様の構成を有していてよく、放熱パネルの設置の仕方（床下の施工の仕方）についても従来と同様とすればよい。
【００３５】
２．２．熱源機
床暖房システム１００においては、放熱パネル１０の通水管に温水を供給し循環させることで室内の暖房が可能となる。そのため、床暖房システム１００は、温水を通水管に供給する熱源機２０が必須である。熱源源２０は従来の床暖房システムに備えられる熱源機と同様のものを採用でき、加熱方式に特に制限はない。
【００３６】
上記した課題を一層容易に解決できる観点から、床暖房システム１００はいわゆるＩｏＴ化されていることが好ましい。例えば、熱源機２０がインターネットに接続されており、インターネットを介して熱源機２０の動作状況を確認可能とされることが好ましい。これにより、例えば、床暖房システム１００に異常が生じた場合に、当該異常の原因が熱源機２０の動作不良によるものか否かを容易に判断できる。このように、熱源機２０をＩｏＴ化することで、当該異常の原因の候補を事前に絞り込むことができ、誤判断及び無駄な作業（「床暖房システムに異常が生じたため、床を剥がして放熱パネルを確認してみたが当該パネルに異常はなく、実は熱源機に異常があった」等）がなくなり、より効率的に現地調整が可能となる。
或いは、熱源機２０をＩｏＴ化した場合、インターネットを介して遠隔操作により熱源機２０のコントロールが可能である。言い換えれば、後述する一般的なコントローラを介さずとも、インターネットを介して熱源機２０を独立して操作することもできる。
【００３７】
２．３．弁
上述したように、床暖房システム１００においては、放熱パネル１０の通水管に温水等を供給し循環させることで室内の暖房等が可能となる。ここで、通水管に供給される温水等の量を制御することで、室内の暖房温度をより精密に調整することができる。これを可能とすべく、床暖房システム１００は、通水管への温水等の供給を制御する弁３０を備える。弁３０は従来の床暖房システムに備えられる弁と同様のものを採用でき、開閉方式に特に制限はない。熱動弁であっても電磁弁であってもよい。
【００３８】
弁３０についてもＩｏＴ化されていることが好ましい。すなわち、弁３０がインターネットに接続されており、インターネットを介して弁３０の動作状況を確認可能とされることが好ましい。これにより、例えば、床暖房システム１００に異常が生じた場合に、当該異常の原因が弁３０の動作不良によるものか否かを容易に判断できる。このように、弁３０をＩｏＴ化することで、当該異常の原因の候補を事前に絞り込むことができ、誤判断及び無駄な作業（「床暖房システムに異常が生じたため、床を剥がして放熱パネルを確認してみたが当該パネルに異常はなく、実は弁の開閉動作に異常があった」等）がなくなり、より効率的に現地調整が可能となる。
或いは、弁３０をＩｏＴ化した場合、インターネットを介して遠隔操作により弁３０のコントロールが可能である。言い換えれば、後述する一般的なコントローラを介さずとも、インターネットを介して弁３０を独立して操作することもできる。
【００３９】
２．４．コントローラ
コントローラ４０は、床暖房システム１００動作時に、室内の温度を調整すべく、床暖房システム１００の各部材の動作を制御するもので、特に、弁及び熱源機の動作を制御するものである。コントローラ４０は、弁の動作を制御するものと、熱源機の動作を制御するものとが別体で構成されていてもよい。このような床暖房システムに付属されるコントローラとしては従来のものと同様のものを採用でき、コントローラによる制御方式に特に制限はない。
【００４０】
コントローラ４０についてもＩｏＴ化されていることが好ましい。すなわち、コントローラ４０がインターネットに接続されており、インターネットを介してコントローラ４０を操作可能とされることが好ましい。これにより、例えば、ユーザーは室外（外出先）から床暖房システム１００のスイッチのＯＮ／ＯＦＦや調整が可能であり、必要に応じて、室内の温度を快適な温度に調整することができる。
【００４１】
２．５．その他の構成
２．５．１．リーダー（ＩＣタグリーダー）
上述したように、ＩＣタグ１１に記録された管理コード等はリーダーによって読み取り可能である。この点、床暖房システム１００においては、ＩＣタグ１１に記録された管理コード等を読み取るリーダー５０をさらに備えることが好ましい。リーダー５０は携帯型であっても固定型であってもよい。固定型の場合は、室内の壁や天井にリーダー５０を固定しておけばよい。また、リーダー５０についてもＩｏＴ化されていることが好ましい。すなわち、リーダー５０はインターネットに接続されており、リーダー５０によって読み取られた情報をインターネットを介して確認可能とされることが好ましい。これにより、例えば、床暖房システム１００に異常が生じた場合に、ユーザーからの問い合わせに対して、メーカー担当者は、現地に赴くことなく、遠隔操作によってリーダー５０を起動し、インターネットを介して放熱パネル１０の製造情報を確認することができる。放熱パネル１０の製造情報を事前に把握することで、現地調整時に必要となる作業等を事前に予測すること等が可能である。
【００４２】
尚、リーダー５０に複数の機能を集約することも可能である。例えば、リーダー５０が室内の温度及び／又は湿度を感知する室内センサとしての機能を備え、リーダー５０が感知した室内の温度の情報及び／又は湿度の情報をインターネットを介して確認可能とされることが好ましい。これにより、例えば、ユーザーが室内の温度及び／又は湿度を室外から確認することができ、当該温度及び／又は湿度の情報に基づいて上記のＩｏＴコントローラ４０等を介して床暖房システム１００の設定温度等を変更することで、室内の環境をより快適な環境に制御することができる。
【００４３】
或いは、リーダー５０は、ＩＣタグ１１に記録された製造情報だけでなく、温度センサ１２により感知された温度情報も受信可能とされることが好ましい。
【００４４】
或いは、リーダー５０とコントローラ４０とを一体としてもよい。すなわち、コントローラ４０がリーダー５０としての機能を備えていてもよい。
【００４５】
２．５．２．室内センサ
床暖房システム１００は、上記のリーダー５０とは別に、室内の温度及び／又は湿度を感知する室内センサ（不図示）をさらに備えていてもよい。この場合、室内センサがＩｏＴ化されていることが好ましい。すなわち、室内センサがインターネットに接続されており、室内センサが感知した室内の温度の情報及び／又は湿度の情報をインターネットを介して確認可能とされることが好ましい。温度センサ、湿度センサ、或いは、温湿度センサについては、公知のものを採用できる。当該センサをＩｏＴ化することについても、公知の技術を応用することで実施可能である。
【００４６】
尚、上記の説明では、放熱パネル１０の内部の通水管に熱源機２０から温水を供給・循環させる形態について説明したが、放熱パネル１０の内部の通水管には温水に替えて冷水を供給・循環させてもよい。これにより、床冷房システムとすることができる。
【００４７】
以上の通り、床暖房システム１００によれば、放熱パネル１０にＩＣタグ１１が備えられることで、ＩＣタグリーダー５０を用意するだけで、非接触で放熱パネル１０の製造情報を確認することができる。すなわち、床を剥がすことなく放熱パネル１０の製造情報を確認することができる。また、床暖房システム１００によれば、放熱パネル１０に温度センサ１２が備えられることで、放熱パネル１０の異常時に、床を剥がすことなく放熱パネル１０の温度を正確に把握することができる。すなわち、例えば、床下に複数の放熱パネル１０、１０、…が設置されていた場合において当該複数の放熱パネル１０、１０、…のうちの一つに異常（故障）が生じたものと予想された場合に、床を剥がすことなく、温度センサ１２により感知された温度をパネル毎に一つ一つ確認することで、感知温度が異常値を示した放熱パネル１０に異常（故障）が生じているものと容易に特定できる。さらに、放熱パネル１０に異常が発生したとユーザーが考えて、メーカー担当者に連絡しようとした場合、ＩＣタグリーダー５０がインターネットに接続されていると、メーカー担当者はインターネットに接続したＩＣタグリーダー５０を使用して事前に放熱パネル１０の管理コード等並びに運転状況を確認することで、遠隔から放熱パネル１０の製造情報並びに運転状況を把握でき、当該放熱パネル１０の故障し易い箇所等を事前に把握することができ、場合によっては、メーカー担当者は、現地調整を行うことなく、ユーザーに適切な指示を出すことが可能である。
【００４８】
３．床暖房システムの調整方法
上記の床暖房システム１００に異常が発生した場合は、例えば、以下の工程を経ることで、床暖房システム１００を効率的に調整・修復できる。すなわち、上記の床暖房システム１００の調整方法は、放熱パネル１０のＩＣタグ１１に記録された当該放熱パネル１０の管理コード等をリーダー５０で読み取る工程と、温度センサ１２にて感知した放熱パネル１０の温度を特定する工程と、リーダー５０によって読み取った製造情報と温度センサ１２によって感知された温度の情報とに基づいて、当該放熱パネル１０の異常の有無を判定する工程と、を備えることを特徴とする。このように、床暖房システム１００においては、放熱パネル１０の情報に基づいて、放熱パネルの異常の有無を容易に判断でき、床暖房システムを効率的に調整できる。
【００４９】
４．床暖房システムの利用方法
好ましい態様に係る床暖房システム１００は、好ましくはリーダー５０をＩｏＴ化することで、より好ましくはコントローラ４０及びリーダー５０をＩｏＴ化することで、さらに好ましくは熱源機２０、弁３０、コントローラ４０及びリーダー５０をＩｏＴ化することで、特に好ましくは熱源機２０、弁３０、コントローラ４０、リーダー５０及び室内センサをＩｏＴ化することで、以下のような利用方法が実現可能である。
（１）インターネットを介して、床暖房システム１００の運転状況や温度データをクラウド内のユーザー割り当てメモリに経時記録することができる。経時記録されたデータから、クラウド内で、例えば、床暖房システムのランニングコストの月別管理や、快適温度範囲への誘導制御量（通水温度、流量）の記録ができる。
（２）快適温度範囲への誘導制御量の情報に基づいて、室内の環境が快適になるように、床暖房システムを自動運転することができる。
（３）ユーザーは、インターネットを介して、床暖房をモニターしたり、或いは、運転操作したりすることができる。例えば、スマートフォンやタブレット等の携帯端末又はパソコン等を用いて、インターネット上の専用ホームページにアクセスし、所定のＩＤ及びパスワードを入力して上記ユーザー割り当てメモリに対応する専用ページへとログインすることで、室内の床暖房をモニターしたり運転制御したりすることができるとともに、省エネアドバイス等を受けることができる。
（４）暖房トラブルが生じた場合に、メーカー担当者等はインターネットを介して速やかに原因の特定又は推定を行うことができるとともに、ユーザーに対して状況を通知して対応を促すこともできる。
【産業上の利用可能性】
【００５０】
本願に開示した床暖房用放熱パネルや床暖房システムは、個人宅用の小型床暖房用から商業施設等の大型床暖房用まで広く利用可能である。
【符号の説明】
【００５１】
１０  床暖房用放熱パネル
１１  ＩＣタグ
１２  温度センサ
２０  熱源機
３０  弁
４０  コントローラ
５０  リーダー（ＩＣタグリーダー）
１００  床暖房システム
【図１】
2018017493.tif 000003
【図２】
2018017493.tif 000004